(57)【特許請求の範囲】
【請求項１】
延伸して強度が向上した糸状連結部の一端に係合メス部を、他端側に前記係合メス部に係合する係合オス部を形成した合成樹脂製の環状連結具において、
前記係合メス部と係合オス部を連結したループ状としたものを手操作で切断する切断部を設け、
該切断部は、前記係合メス部と、該係合メス部の糸状連結部側に隣接すると共に球形状又は前記係合メス部の貫通孔と同方向に伸長した偏平状の拡大部と、該拡大部と前記係合メス部を連結する周方向に断面積を減少させたノッチ部とによって未延伸で構成され、
該ノッチ部は、該環状連結具が連結された状態で前記糸状連結部に作用する張力によって切断しない程度の引張強度を有するが、手操作によってこの切断部を形成する前記係合メス部と拡大部の間に捩じりや折り曲げ作用を加えた際に前記糸状連結部が切断されることなく、前記ノッチ部のみが切断されるように形成したことを特徴とする切断部付き環状連結具。
【請求項２】
前記係合メス部の前記糸状連結部の反対側に、前記係合メス部の貫通孔と同方向に伸長した偏平状の把持部を設けた請求項１記載の切断部付き環状連結具。
【請求項３】
延伸して強度を向上した糸状連結部の一端に係合メス部を、他端側に前記係合メス部に係合する係合オス部を形成した合成樹脂製の環状連結具において、
前記係合メス部と係合オス部を連結したループ状としたものを手操作で切断する切断部を設け、該切断部は、係合メス部に糸状連結部側で接続部分を介して隣接する拡大部と該拡大部に隣接する第２の拡大部と前記両拡大部に連結する周方向に断面積を減少させたノッチ部とによって未延伸で構成され、該ノッチ部は、該環状連結具が連結された状態で前記糸状連結部に作用する張力によって切断しない程度の引張強度を有するが、手操作によってこの切断部を形成する前記両拡大部の間に捩じりや折り曲げ作用を加えた際に前記糸状連結部が切断されることなく、前記ノッチ部のみが切断されるように形成したことを特徴とする切断部付き環状連結具。
【請求項４】
延伸して強度を向上した糸状連結部の一端に係合メス部を、他端側に前記係合メス部に係合する係合オス部を形成した合成樹脂製の環状連結具において、
前記係合メス部と係合オス部を連結したループ状としたものを手操作で切断する切断部を設け、該切断部は、前記糸状連結部の途中に形成した拡大部と該拡大部に隣接する第２の拡大部と前記両拡大部に連結する周方向に断面積を減少させたノッチ部とによって未延伸で構成され、該ノッチ部は、該環状連結具が連結された状態で前記糸状連結部に作用する張力によって切断しない程度の引張強度を有するが、手操作によってこの切断部を形成する前記両拡大部の間に捩じりや折り曲げ作用を加えた際に前記糸状連結部が切断されることなく、前記ノッチ部のみが切断されるように形成したことを特徴とする切断部付き環状連結具。
【発明の詳細な説明】
【０００１】
【発明の属する技術分野】
本発明は、衣料品などに値段や品質用の表示札等を取付けるためや、移送用容器やコンテナ等の扉等の封緘を行なうために使用する環状連結具の改良に関するものである。
【０００２】
【従来の技術】
従来は、店頭に陳列する衣料品等に対して、値段や品質等を表示するための表示札を取り付ける場合に、図１６に示すように係合オス部３Ｘと係合メス部２Ｘを合成樹脂を延伸したフィラメント等で形成された糸状連結部４Ｘで連結した合成樹脂製の環状連結具１Ｘが用いられ、図１７及び図１８（ａ）に示すように、この係合オス部３Ｘを表示札50の取付け孔51と衣類等の生地52等に形成されたボタン孔53等の取付孔を通した後に係合メス部３Ｘに挿入して、糸状連結部４ＸでループＲを形成し、このループＲにより、表示札50を生地52に取り付ける方法が取られている。
【０００３】
また、商品や部品を収納した包装用容器等や、コンテナ、倉庫、金庫、輸送車の扉等に対して、移送や保管時に開封されなかったことを確認できるようにした合成樹脂製の封緘用の環状連結具が、幾種類も使用されている。
【０００４】
これらの封緘用の環状連結具も、上記の表示札等の取付け用の環状連結具と同様に、糸状連結部４Ｘの両端部に係合オス部３Ｘと係合メス部２Ｘを設けて、封緘時に係合オス部３Ｘと係合メス部２Ｘを係合させてループＲを作り、このループＲで封緘している。
【０００５】
この例を図１８（ｂ）に示すが、この図では、扉54ａ，54ｂの引手部分55ａ，55ｂに係合オス部３Ｘと糸状連結部４Ｘを通し、この係合オス部３Ｘを係合メス部２Ｘに係合させてこの扉54ａ，54ｂを封緘している。
【０００６】
この表示札等の取付け用の環状連結具や封緘用の環状連結具は、表示札が衣類などの商品に一旦取り付けられた後は、持ち運び時や梱包及び移送時において容易に外れないように、糸状連結部は手操作では簡単に破断できないような引張強さ（例えば５０Ｎ〜１００Ｎ（約５ｋｇｆ〜１０ｋｇｆ）程度以上）を持って形成される。
【０００７】
特に、表示札等が簡単に外されて入れ替えられないように、あるいは、封緘が解かれたか否かが明確に分かるように、係合オス部と係合メス部は、一度係合した後で無理やり引張って係合を外した時には、係合オス部又は係合メス部が破損して、再度の係合ができないように形成されている。また、糸状連結部４Ｘを切断した場合にはその痕跡が残るように形成されている。
【０００８】
従来技術の環状連結具においては、このループを解くためには、糸状連結部を切断する必要があるので、鋏やカッター等の切断具を用いて糸状連結部を切断している。
【０００９】
【発明が解決しようとする課題】
そのため、これらの従来技術の表示札等の取付用や封緘用の環状連結具においては、糸状連結部で形成されるループを解除するために、鋏やカッター等の切断具が必要不可欠となるので、ループの解除が面倒であるという問題がある。
【００１０】
その上、連結部材である糸状連結部の刃物による切断部が鋭くなり易く、この切断部が商品である高級肌着等の衣服の生地に接触して生地を傷めたり、この切断部に手が接触すると痛みを感じる等の問題がある。
【００１１】
本発明は前記したような問題点を解決するためになされたものであって、その目的は、係合オス部と係合メス部の係合により形成された取付け用又は封緘用のループを解除するために、鋏やカッター等の切断具を使用することなく、手操作で簡単にこのループを切断できる切断部付き環状連結具を提供することにある。
【００１２】
【課題を解決するための手段】
本発明の切断部付き環状連結具は、次のような特徴を有している。
１）  延伸して強度が向上した糸状連結部の一端に係合メス部を、他端側に前記係合メス部に係合する係合オス部を形成した合成樹脂製の環状連結具において、
前記係合メス部と係合オス部を連結したループ状としたものを手操作で切断する切断部を設け、
該切断部は、前記係合メス部と、該係合メス部の糸状連結部側に隣接すると共に球形状又は前記係合メス部の貫通孔と同方向に伸長した偏平状の拡大部と、該拡大部と前記係合メス部を連結する周方向に断面積を減少させたノッチ部とによって未延伸で構成され、
該ノッチ部は、該環状連結具が連結された状態で前記糸状連結部に作用する張力によって切断しない程度の引張強度を有するが、手操作によってこの切断部を形成する前記係合メス部と拡大部の間に捩じりや折り曲げ作用を加えた際に前記糸状連結部が切断されることなく、前記ノッチ部のみが切断されるように形成したことを特徴とする。
【００１３】
これらの切断部は、捩じり、折り曲げ又は引き裂きにより、手操作で容易に破断できる部分であり、破断用のノッチを入れて応力集中が生じ易く形成したり、折り曲げにより破断し易い薄板部分又は薄い断面形状部を形成したりする。また、小孔を開けて形成することもできる。要するに、この切断部は、手操作で切断又は破断可能な構造的に弱い部分である。
【００１４】
また、この糸状連結部は、合成樹脂製のフィラメントや合成樹脂を延伸したフィラメントや糸や鎖等で形成することができるが、この糸状連結部は、切断及び破断した場合にはその痕跡が明確に残るように形成され、好ましくは、再度接続できないように形成される。
２）前記切断部を、前記係合メス部と前記糸状連結部の間に設ける。
【００１５】
この構成により、切断部で手操作により容易にループを切断して解除することができ、また、切断部が延伸されて形成される糸状連結部分から外れるので、この切断部は延伸とは無関係に形成するができるようになり、切断強度を計算等により容易に設定できる。
【００１６】
また、係合メス部は、一般的に係合オス部より大きく形成するので、係合オス部より手で持ちやすく、切断部を手操作でより切断しやすい構造となる。
３）前記係合メス部と前記糸状連結部の間に偏平部分を形成し、該偏平部分に溝部を設けることにより前記切断部を形成することにより、この切断部の断面積を糸状連結部の断面積と関係なく設定でき、この切断部の引張強度を高く保ちながら、折り曲げにより容易に切断できるように形成できる。
４）前記切断部の前記糸状連結部側に偏平形状の第１把持部を設けることにより、この第１把持部と係合メス部をそれぞれ把持して、捩じったり、折り曲げたり、引き裂いたりすることが容易にできるようになる。
【００１７】
５）前記係合メス部の前記糸状連結部と反対側に偏平形状の第２把持部を設けることにより、この第２把持部と第１把持部又は第２把持部と切断部の周囲部材とをそれぞれ把持して捩じったり、折り曲げたりすることが容易にできるようになる。
６）前記切断部を、前記糸状連結部に設けることにより、係合オス部と係合メス部の近傍とは別の部分で切断できるので、商品等に取り付けた時に、手操作し易い部分で、ループを切断できる。
【００１８】
７）そして、より具体的な構造としては、前記係合メス部が、貫通孔とこの貫通孔内の中間部で円周方向に形成した環状突起とからなり、前記係合オス部が、前記環状突起部分を通過できる頭部と、この頭部の後に設けられて前記環状突起部分を通過した後に拡がる弾性的に拡縮可能な係合羽と、この係合羽の後方に設けられ前記環状突起部分より大径のストッパー部とを有して形成される。
【００１９】
以上の構成により、ループ形成を必要とする連結部材である糸状連結部の両端部に設けた係合オス部と係合メス部との係合により、簡単に、ループを形成して、表示札の取付けや封緘部分に対する封緘を行なう事ができ、しかも、この環状連結部具に設けた切断部を捩じり、折り曲げ又は引き裂きにより切断することができ、簡単にこのループを解除できる。
【００２０】
従って、鋏やカッター等の切断具が不要になるので、手間が省け封緘作業の効率をアップできる。
【００２１】
【発明の実施の形態】
以下図面に基づき本発明による切断部付き環状連結具の実施の形態について説明する。
〔第１の実施の形態〕
本発明の第１の実施の形態の切断部付き環状連結具１は、糸状連結部４の一端側に係合メス部２を、他端側にこの係合メス部２に係合する係合オス部３を設けると共に、係合メス部２と係合オス部３との係合によって形成されるループＲを切断するための切断部６を設けて形成される。
【００２２】
この切断部付き環状連結具１は、延伸可能なポリプロピレン（ＰＰ）やナイトン等の分子配向性合成樹脂で一体的に形成し、その糸状連結部４は、成型した金型内あるいは延伸機によって３倍から４倍に延伸して断面を縮小し、強度を向上したフィラメントで形成する。
〔係合オス部〕
この係合オス部３は、図２に示すように、係合メス部２の内径ｄの環状突起部23を通過できる頭部31と、この頭部31の後方に設けられた弾性的に拡縮可能な係合羽32と、この係合羽32の後方に設けられ、環状突起部22より拡大したストッパー部33とを有して形成される。
【００２３】
また、頭部32とストッパー部33との間には、接続部材35、36があり、また、ストッパー部33は接続部材37と拡大部34とを介して糸状連結部４に接続している。この拡大部34は、糸状連結部４を延伸する際の始点とするためのものであり、糸状連結部４が延伸時に引張られる時にこの拡大部34の糸状連結部４側から延伸されることになる。
〔係合メス部〕
そして、係合メス部２は、図３に示すように、内径Ｄの貫通孔22を有する枠体21とこの貫通孔22内に設けられた内径ｄの環状突起部23とからなり、枠体21は、切断用のノッチ部61と拡大部62とからなる切断部６を介して糸状連結部４に接続して形成される。
【００２４】
この係合オス部３と係合メス部２の係合強度は、表示札等が簡単に外されて入れ替えられないように、あるいは、封緘が解かれたか否かが明確に分かるように、一度係合した後で無理やり引張って係合を外した時には、係合オス部３又は係合メス部２が破損して、再度の係合ができないように形成される。
【００２５】
〔糸状連結部〕
また、この糸状連結部４は、表示札が衣類などの商品に一旦取り付けられた後は、持ち運び時や梱包及び移送時において容易に外れないように、手操作では簡単に破断できないような引張強さ（例えば５０Ｎ〜１００Ｎ（約５ｋｇｆ〜１０ｋｇｆ）程度以上）を持って形成され、また、糸状連結部４を切断した場合にはその痕跡が残るように形成される。
〔切断部〕
そして、本発明においては、係合メス部２と係合オス部３を連結してループ状Ｒとしたものを手操作で切断する切断部６を形成する。
【００２６】
この切断部６は、係合メス部２と係合オス部３が連結されたループ状態で糸状連結部４に作用する張力によって切断しない程度の引張強度を有するが、手操作によってこの切断部６を形成する２つの部材２，62の間に捩じりや折り曲げや引き裂き作用を加えた際に糸状連結部４が切断されることなく、切断部６のみが切断されるように形成する。
【００２７】
この切断部６を、係合メス部２と糸状連結部４の間に設け、延伸される糸状連結部４の部分から外すことにより、この切断部６を延伸とは無関係に形成することができるので、この環状連結具１の製造が容易となり、また、切断及び破断の強度を計算等により容易に設定できる。
【００２８】
次に幾つかの切断部を図３〜図６に例示する。
図３の切断部６は、切断用のノッチ部61により、隣接する部分62，21よりも断面積を減少させて形成する。この構成により、この切断用のノッチ部61では、力が加わった時に応力集中が発生するので容易に切断できることになる。
【００２９】
また、図４〜図６に示す係合メス部２Ａ、２Ｂ、２Ｃでは、切断部６Ａ、６Ｂ、６Ｃは、偏平形状に形成された拡大部62Ａ、62Ｂ、62Ｃと、拡大部62Ａ、62Ｂ、62Ｃと係合メス部２Ａ、２Ｂ、２Ｃ側の境に設けた溝部（ノッチ部）61Ａ、61Ｂ、61Ｃを設けて形成する。
【００３０】
図４の切断部６Ａと図５の切断部６Ｂとの差異は、切断部６Ｂの幅Ｂａが切断部６Ａの幅Ｂｂより大きく形成されている点にあり、その他は同じである。また、図５の係合メス部２Ｂと図６の係合メス部２Ｃとの差異は、係合メス部２Ｃの糸状連結部４と反対側に第２把持部となる偏平部分７Ｃを設けている点にある。
【００３１】
この図４及び図５の切断部６Ａ、６Ｂ、６Ｃの断面積は糸状連結部４の断面積と関係なく設定でき、切断部６Ａ、６Ｂ、６Ｃの引張強度を高く保てるので、糸状連結部４よりも引張強度が低下することを防止でき、ループＲを形成した状態で、糸状連結部４に作用する張力によって切断しない程度の引張強度を付加できる。
【００３２】
そして、この切断部６Ａ、６Ｂ、６Ｃは、この切断部６Ａ、６Ｂ、６Ｃを形成する２つの部材である係合メス部２と拡大部62Ａ，62Ｂ，62Ｃの間に手操作により捩じり、折り曲げ、引き裂き等の作用を加えた際に糸状連結部４が切断されることなく、切断部６Ａ、６Ｂ、６Ｃのみが容易に切断できるように形成できる。
【００３３】
この図３〜図５の拡大部62Ａ、62Ｂ、62Ｃは、切断部６Ａ、６Ｂ、６Ｃの糸状連結部４側に設けられた偏平形状の第１把持部として機能するので、この第１把持部62Ａ、62Ｂ、62Ｃと係合メス部２Ａ、２Ｂ、第２把持部７Ｃをそれぞれ把持して、手操作によって捩じったり、折り曲げたり、引き裂いたりすることが容易にできるようになる。
〔第２の実施の形態〕
次に、切断部付き環状連結具の第２の実施の形態について図７〜図９を参照して説明する。
【００３４】
図７の第２の実施の形態の係合オス部３Ｄは、図８、図９の係合メス部２の長方形の貫通孔22Ｄ内に形成された突起部23Ｄ内を通過できる偏平形状の頭部31Ｄと、この頭部31Ｄの後方に設けられた弾性的に拡縮可能な係合羽32Ｄと、この係合羽32Ｄの後方に設けられ、突起部23Ｄより拡大して形成されるストッパー部33Ｄとを有して形成される。
【００３５】
また、頭部32Ｄとストッパー部33Ｄとの間には、接続部材35Ｄ、36Ｄがあり、また、ストッパー部33Ｄは糸状連結部４に接続している。このストッパー部33Ｄは、糸状連結部４を延伸する際の始点となり、糸状連結部４が延伸時に引張られる時にこのストッパー部33Ｄの糸状連結部４側から延伸されることになる。
【００３６】
一方、第２の実施の形態の係合メス部２Ｄ、２Ｅは、図８、図９に示すように、貫通孔22Ｄ，22Ｅを有する枠体21Ｄ，21Ｅとこの貫通孔22Ｄ，22Ｅ内に設けられた環状突起部23Ｄ，23Ｅとからなり、枠体21Ｄ，21Ｅは、切断用のノッチ部61Ｄ，61Ｅと拡大部62Ｄ，62Ｅとからなる切断部６Ｄ，６Ｅを介して糸状連結部４に接続して形成される。
【００３７】
また、図９の係合メス部２Ｅは、糸状連結部４と反対側に第２把持部となる偏平部分７Ｅを設けてある。
【００３８】
この構成により、上記の第１の実施の形態と同様な効果を得ることができ、更に、係合メス部２Ｄ、２Ｅが偏平な形状に形成されるので、切断部６Ｄ、６Ｅの周囲を把持し易い形状にすることができる。
〔第３の実施の形態〕
また、図１０に第３の実施の形態の切断部６Ｆを示す。この切断部６Ｆは、係合メス部２Ｆに接続して配設せず、接続部材64Ｆと拡大部63Ｆを介して溝部61Ｆと拡大部62Ｆを設け、この拡大部62Ｆに糸状連結部４を接続した構成となっている。
【００３９】
この構成によれば、係合オス部３Ａと係合メス部２Ｆとが係合した時にそれぞれに接続する糸状連結部４が邪魔になることがない。また、溝部61Ｆの両側に位置する拡大部62Ｆと拡大部63Ｆを把持して容易に切断部６Ｆを切断できる。
〔第４の実施の形態〕
そして、図１１に示す第４の実施の形態の切断部６Ｇでは、係合メス部２Ｇに接続して配設せず、糸状連結部４の途中に拡大部63Ｇと溝部61Ｇと拡大部62Ｇを連続して設けた構成となっている。
なお、この図１１の係合メス部２Ｇは、図３の係合メス部２と同じ構成であるが、図８の係合メス部２Ｄと同様に構成することもできる。
【００４０】
この構成によれば、係合オス部３と係合メス部２Ｇとが係合した時にそれぞれに接続する糸状連結部４が邪魔になることがない。また、溝部61Ｇの両側に位置する拡大部62Ｇと拡大部63Ｇを把持して容易に切断部６Ｇを切断できる。
特に、この切断部６Ｇの糸状連結部４Ｇの長さを変化させることにより、この切断部６Ｇを掴み易い位置に設けることができるので、作業効率を更に向上できる。
【００４１】
〔第５の実施の形態〕
そして、図１４に第５の実施の形態を示す。
この切断部付き環状連結具１Ｈでは、係合メス部２Ｈが、糸状連結部４の延長上に形成されている点が、第１〜第４の実施の形態と異なる。即ち、この第１〜第４の実施の形態の切断部付き環状連結具１〜１Ｇで示された係合メス部２〜２Ｇの係合方向は、糸状連結部４と略垂直の方向に形成されている。
【００４２】
また、係合オス部３Ｈには、係合羽が無く、その丸みを帯びた傘状の頭部31Ｈと係合メス部２Ｈの環状突起部23Ｈとが柔軟性を有し、頭部31Ｈの後端側が環状突起部23Ｈより大径に形成され、頭部31Ｈはその丸みを帯びた傘部で環状突起部23Ｈを押し広げながら通過するが、一旦通過した後は、頭部31Ｈの後側が環状突起部23Ｈに当接し後退できないように形成される。
【００４３】
また、枠体21Ｈの設けられた係合穴22Ｈは、貫通穴でなく閉止されて形成され、この枠体21Ｈに接続して切断部６Ｈが形成される。この切断部６Ｈは、切断用のノッチ部61Ｈと拡大部62Ｈとからなる。
【００４４】
この構成によれば、係合オス部３Ｈと係合メス部２Ｈとが係合した時にそれぞれに接続する糸状連結部４が略同方向に並ぶので、角部のない円弧状のリープＲｈを形成できる。
そして、溝部61Ｈの両側に位置する係合オス部３Ｈと係合メス部２Ｈの係合体と拡大部62Ｈとを把持して容易に切断部６Ｈを切断できる。
この切断時に、係合オス部３Ｈと係合メス部２Ｈの係合体が把持し易い大きさと位置になるので、より切断し易くなる。
【００４５】
また、係合オス部３Ｈのストッパー部33Ｈと係合メス部２Ｈの枠体21Ｈの形状は、係合した時にラグビーボールのような偏平回転体形状になるように形成されるが、この係合オス部３Ｈのストッパー部33Ｈの最大径、あるいは最大断面積を、係合メス部２Ｈの枠体21Ｈの最大径、あるいは最大断面積よりも小さく形成する。即ち、ストッパー部33Ｈと枠体21Ｈの境目を係合体の中央ではなく、ストッパー部33Ｈ側で分離し、図１４（ｃ）の（Ｌ2 ／Ｌ3 ）が（３／７）〜（４．５／５．５）程度、好ましくは（４／６）になるように形成する。
【００４６】
この構成により、係合オス部３Ｈを表示札や生地等の取付け孔に通す時には通過が容易となり、しかも、係合した時に係合体２Ｈ＋３Ｈは把持し易い大きな形状となるので、この係合した部分と拡大部62Ｈを把持して、切断部６Ｈを手操作で捩じったり、折り曲げたり、引き裂いたりして、容易に切断できる。
【００４７】
〔第６の実施の形態〕
そして、図１５に示す第６の実施の形態では、係合オス部３Ｉと係合メス部２Ｉは、係合の際や、切断部６Ｉの切断の際に、より把持し易いように、偏平形状に形成される。この偏平形状以外は、図１４に示す第５の実施の形態と同じである。
【００４８】
〔その他・組合せ〕
なお、これらの形状は、多くの実施の形態の一部を示したもので、図２、図７の係合オス部３，３Ａの形状や、図３〜図６，図８〜図１１の係合メス部２，２Ａ〜２Ｇと切断部６，６Ａ〜６Ｇの形状は適宜に組み合わせて使用でき、また、これら変形したものや、同じ構成要素及び機能を有する他の形状のものを使用できる。
【００４９】
また、寸法に関しては、対象の表示札や封緘の対象物により異なり、その大きさは種々のものが考えられるので、限定する必要もないが、例えば、代表的なものでは、図１の切断部付き環状連結具１は全長が１００〜２５０ｍｍ、係合オス部２の頭部31の径は１．８ｍｍφ、連結部４の径は０．４〜１．０ｍｍで、係合メス部３の貫通孔22の内径は２．５ｍｍφで、貫通孔22の長さは５．０ｍｍである。
〔使用方法〕
次の使用方法の例を説明する。
【００５０】
なお、以下の説明においては、同じ構成要素、例えば係合メス部の参照番号は２，２Ａ〜２Ｉであるが、２で代表することにする。即ち、英文字を省いて表示する。
【００５１】
店頭に陳列する衣料品等に対して、値段や品質等を表示するための表示札を取り付ける場合には、図１８（ａ）と同様に、切断部付き環状連結部１の係合オス部３を、表示札50等の取付け孔51と衣類等の生地52等に形成されたボタン孔53等の取付孔を通した後に、係合メス部２に挿入すると、図１２に示すように、この頭部31と係合羽32が環状突起部23を通過した後に後方の係合羽32が貫通孔22内に拡がると共に、ストッパー部33が貫通孔22内で環状突起部23に当接するため、この環状突起部23を係合羽32とストッパー部33で挟み込んで係合する。
この係合により、ループＲが形成され、このループＲにより、表示札50を商品の生地52に取り付けることができる。
【００５２】
そして、消費者がこれらの商品を購入した際には、この切断部付き環状連結部１の切断部６を捩じるか折り曲げるかして、鋏やカッター等の切断具を使用することなく、図１３に示すように、切断部６を手操作で切断又は破断してループＲを解除できるので、簡単にこの切断部付き環状連結部１と共に、表示札50等を除去することができる。
【００５３】
また、商品や部品を収納した包装用容器等や、コンテナ、倉庫、金庫、輸送車の扉等に対して封緘する場合は、図１８（ｂ）と同様に、封緘対象物である扉54ａ，54ｂの引手部分55ａ，55ｂに糸状連結部４を通して一周させた後に、係合オス部３を係合メス部２に挿入して係合させてループＲを作り、このループＲにより封緘する。この封緘に際しては、必要に応じて、表示札50と共に封緘する。
【００５４】
この封緘を解くには、この切断部付き環状連結部１の切断部６を手操作で捩じるか折り曲げるか又は引き裂くかして、鋏やカッター等の切断具を使用することなく、切断部６を切断又は破断しループＲを解除できるので、簡単に封緘を解くことができる。
【００５５】
〔効果〕
以上の説明から明らかなように、本発明による切断部付き環状連結具１によれば、係合オス部３と係合メス部２を係合させることにより、糸状連結部４のループＲを簡単に形成することができ、しかも、鋏やカッター等の切断具を使用せずに、切断部６をねじ切り、又は折ることにより、容易にループＲを解除できる。
【００５６】
従って、表示札等の取付け用として使用した場合には、このループＲにより、商品52側にこの表示札50を簡単に取り付けることができ、消費者が表示札50を取り外したい時には、切断具無しで容易に切断部６を切断して外すことができる。しかも、切断部分が特定でき、この切断部６を偏平形状にしたり、ノッチ部61に丸みを付けておくことにより、ループＲの解除後に尖った部分が発生するを防止することができる。
【００５７】
また、封緘用として使用した場合には、一旦解除された環状連結具１は、再度ループＲを形成するのは不可能であるので、封緘機能を十分に果たすことができ、その上、封緘の解除作業において切断具が不要になるので、手間が省け作業効率を向上できる。
【００５８】
【発明の効果】
以上の説明から明らかなように、本発明による切断部付き環状連結具によれば、係合オス部と係合メス部を係合させることにより、糸状連結部のループを簡単に形成することができ、しかも、鋏やカッター等の切断具を使用せずに、切断部をねじ切り、折り曲げ、引き裂き等により、容易にループを解除できる。
【００５９】
従って、表示札の取付け具として使用した場合には、消費者が表示札を取り外すのが著しく容易となると共に、ループ解除後の切断部分が特定でき、しかも、糸状連結部を切断したような尖った部分が発生するを防止することができ、高級肌着等の衣服の生地を傷めたり、手に触れて痛みを感じさせること等を防止できる。
【００６０】
また、封緘用として使用した場合には、一旦解除された環状連結具は、再度のループ形成は不可能であるので、封緘機能を十分に果たすことができ、その上、封緘の解除作業において切断具が不要になるので、手間が省け作業効率を向上できる。
【図面の簡単な説明】
【図１】本発明に係る切断部付き環状連結具を示す図で、（ａ）は平面図で、（ｂ）は正面図である。
【図２】本発明に係る切断部付き環状連結具の係合オス部を示す図で、（ａ）は平面図で、（ｂ）は正面図で、（ｃ）は（ａ）のＸ−Ｘ端面図で、（ｄ）は（ａ）のＹ−Ｙ端面図で、（ｅ）は（ａ）のＺ−Ｚ断面図である。
【図３】本発明に係る切断部付き環状連結具の係合メス部と切断部を示す図で、（ａ）は平面図で、（ｂ）は正面図である。
【図４】本発明に係る切断部付き環状連結具の係合メス部と偏平形状の拡大部を有する切断部を示す図で、（ａ）は平面図で、（ｂ）は正面図である。
【図５】本発明に係る切断部付き環状連結具の係合メス部と幅広の偏平形状の拡大部を有する切断部を示す図で、（ａ）は平面図で、（ｂ）は正面図である。
【図６】本発明に係る切断部付き環状連結具の第２把持部を有する係合メス部と切断部を示す図で、（ａ）は平面図で、（ｂ）は正面図である。
【図７】本発明に係る第２の実施の形態の切断部付き環状連結具の係合オス部を示す図で、（ａ）は平面図で、（ｂ）は正面図で、（ｃ）は（ａ）のＸ−Ｘ端面図で、（ｄ）は（ａ）のＹ−Ｙ端面図で、（ｅ）は（ａ）のＺ−Ｚ断面図である。
【図８】本発明に係る第２の実施の形態の切断部付き環状連結具の係合メス部と幅広の偏平形状の拡大部を有する切断部を示す図で、（ａ）は平面図で、（ｂ）は正面図である。
【図９】本発明に係る第２の実施の形態の切断部付き環状連結具の第２把持部を有する係合メス部と切断部を示す図で、（ａ）は平面図で、（ｂ）は正面図である。
【図１０】本発明に係る第３の実施の形態の切断部付き環状連結具の係合メス部と切断部を示す図で、（ａ）は平面図で、（ｂ）は正面図である。
【図１１】本発明に係る第４の実施の形態の切断部付き環状連結具の係合メス部と切断部を示す図で、（ａ）は平面図で、（ｂ）は正面図である。
【図１２】本発明に係る第１の実施の形態の切断部付き環状連結具のループを形成した状態を示す図である。
【図１３】本発明に係る第１の実施の形態の切断部付き環状連結具のループを解除した状態を示す図である。
【図１４】本発明に係る第５の実施の形態の切断部付き環状連結具の係合メス部と係合オス部と切断部を示す図で、（ａ）は平面図で、（ｂ）は側面図で、（ｃ）は結合した状態を示す平面図である。
【図１５】本発明に係る第６の実施の形態の切断部付き環状連結具の係合メス部と係合オス部と切断部を示す図で、（ａ）は平面図で、（ｂ）は側面図である。
【図１６】従来技術の環状連結具を示す図で、（ａ）は平面図で、（ｂ）は正面図である。
【図１７】図１６の環状連結具のループ状の係合を示す部分的な断面を含む図である。
【図１８】図１６の環状連結具の使用状態を示す図で、（ａ）は表示札の取付けを、（ｂ）は扉の封緘を示す。
【符号の説明】
１  切断部付き環状連結具
２，２Ａ〜２Ｉ  係合メス部
３，３Ｄ，３Ｈ，３Ｉ  係合オス部
４  糸状連結部
６，６Ａ〜６Ｉ  切断部
７Ｃ，７Ｅ  第２把持部
21，21Ａ〜21Ｉ  枠体
22，22Ａ〜22Ｅ  貫通孔
22Ｈ，22Ｉ  係合穴
23，23Ａ〜23Ｃ，23Ｈ  環状突起部
23Ｄ，23Ｅ，23Ｉ  突起部
31，31Ｄ，31Ｈ，31Ｉ  頭部
32，32Ｄ  係合羽
33，33Ｄ，33Ｈ，33Ｉ  ストッパー部
34，34Ｈ，34Ｉ  拡大部
61，61Ｆ，61Ｇ  ノッチ部
61Ａ〜62Ｉ  溝部
62  拡大部（第１把持部）
62Ａ〜62Ｉ  拡大部（偏平部分：第１把持部）
【図１】
0003636608.tif 000002
【図２】
0003636608.tif 000003
【図３】
0003636608.tif 000004
【図４】
0003636608.tif 000005
【図５】
0003636608.tif 000006
【図６】
0003636608.tif 000007
【図７】
0003636608.tif 000008
【図８】
0003636608.tif 000009
【図９】
0003636608.tif 000010
【図１０】
0003636608.tif 000011
【図１１】
0003636608.tif 000012
【図１２】
0003636608.tif 000013
【図１３】
0003636608.tif 000014
【図１４】
0003636608.tif 000015
【図１５】
0003636608.tif 000016
【図１６】
0003636608.tif 000017
【図１７】
0003636608.tif 000018
【図１８】
0003636608.tif 000019